(57)【要約】  本発明は、移動加入者端末機に隣接基地局の情報を周期的に放送するサービング基地局が存在する広帯域無線接続通信システムに関するものである。隣接基地局の情報放送メッセージを構成する方法において、隣接基地局の情報放送メッセージに特定フィールドを追加する過程と、メッセージを構成することができる複数の情報フィールドの包含の可否を決定する過程と、上記の決定によって特定フィールドのビット値を決定する過程とを含むことを特徴とする。
2008519541.tif 000002
【特許請求の範囲】
【請求項１】
移動局に隣接基地局の情報を放送するサービング基地局が存在する広帯域無線接続通信システムにおいて、前記隣接基地局の情報放送メッセージを構成する方法であって、
前記隣接基地局の情報放送メッセージに前記メッセージを構成する少なくとも１つの情報フィールドの存在の有無を表す特定フィールドを追加する過程と、
前記少なくとも１つの情報フィールドの包含の可否を決定する過程と、
前記包含の可否によって前記特定フィールドのビット値を決定する過程と
を含むことを特徴とする方法。
【請求項２】
前記複数の情報フィールドのうち、含まれる情報フィールドに対し、前記特定フィールドのビット値を０または１に設定できることを特徴とする請求項１記載の方法。
【請求項３】
前記複数の情報フィールドのうち、含まれない情報フィールドに対し、前記特定フィールドのビット値を０または１に設定できることを特徴とする請求項１記載の方法。
【請求項４】
前記複数の情報フィールドの包含の可否の決定によって、含むことに決定した情報フィールドで前記隣接基地局情報放送メッセージを構成する過程を更に含むことを特徴とする請求項１記載の方法。
【請求項５】
前記情報フィールドは、基地局の固有識別子を表す運営者識別子（Operator ID）フィールドであることを特徴とする請求項１記載の方法。
【請求項６】
前記情報フィールドは、隣接基地局識別子フィールドであることを特徴とする請求項１記載の方法。
【請求項７】
前記情報フィールドは、隣接基地局へハンドオーバーする間、必須的に遂行するべき手順及び省略可能な手順を表す情報であるハンドオーバー手順最適化（handover process optimization）フィールドであることを特徴とする請求項１記載の方法。
【請求項８】
前記情報フィールドは、隣接基地局の支援するサービス品質（ＱｏＳ：Quality of Service）等級（classes）を表すＱｏＳフィールドと関連したフィールドであることを特徴とする請求項１記載の方法。
【請求項９】
移動局に隣接基地局の情報を放送するサービング基地局が存在する広帯域無線接続通信システムにおいて、前記隣接基地局の情報放送メッセージを構成するシステムであって、
前記隣接基地局の情報放送メッセージに前記メッセージを構成する少なくとも１つの情報フィールドの存在の有無を表す特定フィールドを追加し、前記少なくとも１つの情報フィールドの包含の可否を決定し、前記包含の可否によって前記特定フィールドのビット値を決定するサービング基地局を含むことを特徴とするシステム。
【請求項１０】
前記複数の情報フィールドのうち、含まれる情報フィールドに対し、前記特定フィールドのビット値を０または１に設定できることを特徴とする請求項９記載のシステム。
【請求項１１】
前記複数の情報フィールドのうち、含まれない情報フィールドに対し、前記特定フィールドのビット値を０または１に設定できることを特徴とする請求項９記載のシステム。
【請求項１２】
前記サービング基地局は、前記複数の情報フィールドの包含の可否の決定によって含むことに決定した情報フィールドで前記隣接基地局情報放送メッセージを構成して移動局に伝送することを特徴とする請求項９記載のシステム。
【請求項１３】
移動局に隣接基地局情報を放送するサービング基地局を含む広帯域無線接続通信システムにおいて、隣接基地局広告（ＭＯＢ＿ＮＢＲ−ＡＤＶ）メッセージを生成する方法であって、
前記ＭＯＢ＿ＮＢＲ−ＡＤＶメッセージに少なくとも１つの情報フィールドが含まれているかどうかを決定する過程と、
前記ＭＯＢ＿ＮＢＲ−ＡＤＶメッセージに前記ＭＯＢ＿ＮＢＲ−ＡＤＶメッセージを構成する１つの情報フィールドが省略されたかどうかを表す少なくとも１つのビットで表すことができるＮＢＲ−ＦＬＡＧフィールドを付加する過程と、
前記ＭＯＢ＿ＮＢＲ−ＡＤＶメッセージに前記情報フィールドが含まれたかどうかの可否に相応するように前記ＮＢＲ−ＦＬＡＧフィールドのビット値を決定する過程と
を含むことを特徴とする方法。
【請求項１４】
前記情報フィールドは、運営者識別子フィールド、隣接基地局識別子フィールド、ハンドオーバー手順最適化（HO process Optimization）フィールド、及びＱｏＳ（Quality of Service）フィールドのうち、少なくとも１つを含むことを特徴とする請求項１３記載の方法。
【発明の詳細な説明】
【技術分野】
【０００１】
本発明は、広帯域無線接続通信システムに関し、特に隣接基地局情報を含んでいる隣接基地局放送（NeighBoR base station ADVertisement；以下、‘ＭＯＢ＿ＮＢＲ−ＡＤＶ’と称する）メッセージの構成方法及びシステムに関する。
【背景技術】
【０００２】
次世代の通信システムである４世代（4th Generation；以下、‘４Ｇ’と称する）の通信システムでは、約１００Ｍｂｐｓの伝送速度を持つ多様なサービス品質（Quality of Service；以下、‘ＱｏＳ’と称する）を持つサービスを使用者に提供するための活発な研究が進行されている。特に、現在の４Ｇ通信システムでは、無線近距離通信ネットワーク（Local Area Network；以下、‘LAN’と称する）システム及び無線都市地域ネットワーク（Metropolitan Area Network；以下、‘ＭＡＮ’と称する）システムのような広帯域無線接続（ＢＷＡ：Broadband Wireless Access）通信システムに移動性（mobility）とサービス品質（ＱｏＳ：Quality of Service）を保証する形態で高速サービスを支援するようにする研究が活発に進行しており、その代表的な通信システムがＩＥＥＥ（Institute of Electrical and Electronics Engineers）８０２．１６通信システムである。
【０００３】
ＩＥＥＥ ８０２．１６通信システムは、無線ＭＡＮシステムの物理チャネル（physical channel）に広帯域（broadband）伝送ネットワークを支援するために、直交周波数分割多重（Orthogonal Frequency Division Multiplexing；以下、‘ＯＦＤＭ’と称する）／直交周波数分割多重接続（Orthogonal Frequency Division Multiple Access；以下、‘ＯＦＤＭA’と称する）方式を適用した通信システムである。
【０００４】
次に、図１を参照してＩＥＥＥ ８０２．１６ｅ通信システムの構造を説明する。
【０００５】
図１は、一般的なＩＥＥＥ ８０２．１６ｅ通信システムの構造を概略的に示す図である。
【０００６】
図１を参照すれば、ＩＥＥＥ ８０２．１６ｅ通信システムは、多重セル構造を有し、例えばセル１００とセル１５０を有し、セル１００を管掌する基地局（ＢＳ：Base Station）１１０と、セル１５０を管掌する基地局１４０と、複数の移動局（Mobile Station；以下、‘ＭＳ’と称する）１１１、１１３、１３０、１５１、１５３から構成される。そして、基地局１１０、１４０とＭＳ１１１、１１３、１３０、１５１、１５３との間の信号の送受信は、ＯＦＤＭ／ＯＦＤＭＡ方式を使用してなされる。ところが、ＭＳ１１１、１１３、１３０、１５１、１５３のうち、ＭＳ１３０は、セル１００とセル１５０の境界地域、すなわちハンドオーバー領域に存在する。したがって、基地局１１０または基地局１４０はＭＳ１３０に対してハンドオーバーが支援できなければならない。
【０００７】
例えば、ＭＳ１３０がセル１００に位置して基地局１１０と通信していた途中にセル１５０領域へ移動する場合、すなわち基地局１４０へハンドオーバーする場合、ＭＳ１３０は基地局１４０とネットワーク再進入（network re-entry）手順を遂行しなければならない。これは、基地局１１０と基地局１４０との間に相異する物理階層及びＭＡＣ（Medium Access Control；以下、‘ＭＡＣ’と称する）階層構造を有するためである。
【０００８】
前述したように、ＭＳが現在の位置しているサービング基地局（serving base station）から隣接基地局へハンドオーバーする場合、ネットワーク再進入手順を遂行することになれば、送受信中のデータサービスを断絶し、隣接基地局にハンドオーバーを完了した後、初めからデータサービスを始めなければならない。このように、ＭＳが隣接基地局にハンドオーバーするために、隣接基地局の情報を認知できなければならない。隣接基地局の情報は各基地局が周期的に放送（broadcasting）するＭＯＢ＿ＮＢＲ−ＡＤＶメッセージを受信することにより認知することができる。
【０００９】
次に、図２Ａ及び２Ｂを参照して一般的なＭＯＢ＿ＮＢＲ−ＡＤＶメッセージの構造について説明する。
【００１０】
図２Ａ及び２Ｂは、一般的なＭＯＢ＿ＮＢＲ−ＡＤＶメッセージの構造を示す図である。
【００１１】
図２Ａ及び２Ｂを参照すれば、ＭＯＢ＿ＮＢＲ−ＡＤＶメッセージは、複数の情報要素（Information Element；以下、‘ＩＥ’と称する）から構成される。上記のＩＥを見れば、送信されるメッセージのタイプを表すManagement Message Typeと、運営者（operator）に割り当てられた固有（unique）識別子を表す運営者識別子（Operator ID）と、構成（configuration）が変更される度に１ずつ増加して該当するメッセージの変更の可否を表示するConfiguration Change Countと、ＭＯＢ＿ＮＢＲ−ＡＤＶメッセージを分割して数回に分けて伝送する場合、何番目に伝送されるメッセージであるかを表すFragementation Indexと、分割されたメッセージの数が全て幾つかを表すTotal Fragmentationと、メッセージ内のＢＳ−ＩＤが省略された場合、これを表示するSkip-Optional-Field Flagと、現在のメッセージ内に幾つの隣接基地局情報を含んでいるか隣接基地局の個数を表すN_NEIGHBORSと、各基地局識別子別に情報フィールドの長さを表示するLengthと、該当する基地局に使われる無線チャネルの情報識別子を表すPHY Profile IDと、該当する基地局の割当周波数を表す固有識別子を表示したFA Indexと、該当する隣接基地局の送信電力の強さを表すBS EIRPと、隣接基地局の識別子を表すNeighbor BS-IDと、該基地局の該当するセクターで使用するプリアンブルの識別子を表すPreamble Indexと、該当する基地局へのハンドオーバー時に必らず遂行するべき手順と省略可能な手順とを区分して情報を表示したHO Process Optimizationと、基地局の間に予め定義した種々のサービス品質（Quality of Service；以下、‘ＱｏＳ’と称する）クラスに対し、該当する基地局が支援可能なＱｏＳ種類を表示するためのScheduling Service Supportedと、該当する基地局の無線チャネル資源の可用度を表示するAvailable Radio Resourceと、サービング基地局がＭＳＳをして該当する隣接基地局へハンドオーバーするように制御する場合、論理的
（logical）選好度を定義するHandoff Neighbor Preferenceと、該当する隣接基地局のＤＣＤ（Downlink Channel Descriptor）情報の一連番号を知らせるＤＣＤ Configuration Change Count、該当する隣接基地局のＵＣＤ（Uplink Channel Descriptor）情報の一連番号を知らせるＵＣＤ Configuration Change Countと、上記の情報以外に隣接基地局と関連したその他の情報を表す他の隣接情報（ＴＬＶ（Type／Length／Value）Encoded Neighbor Information；以下、‘TLV Encoded Neighbor Informationと称する）を含む。
【００１２】
次に、ＭＯＢ＿ＮＢＲ−ＡＤＶメッセージと関連してより詳細に説明する。
【００１３】
サービング基地局から周期的に放送されるＭＯＢ＿ＮＢＲ−ＡＤＶメッセージを受信したＭＳは、隣接基地局の信号の強さの測定のためのスキャニング（scanning）情報を獲得することができる。言い換えると、ＭＳはＭＯＢ＿ＮＢＲ−ＡＤＶメッセージに含まれたNeighbor BS-ID情報を利用して隣接基地局を識別することができる。これによって、ＭＳは隣接基地局を物理周波数（Physical Frequency）フィールドを通じてスキャニングに必要とする物理周波数帯域探索情報を認知することになる。上記のように、サービング基地局は、ＭＯＢ＿ＮＢＲ−ＡＤＶメッセージを周期的に放送してＭＳのハンドオーバー時に必要とする情報を提供する。
【００１４】
したがって、従来のＭＯＢ＿ＮＢＲ−ＡＤＶメッセージは、多くの情報を含んでいるので、メッセージのサイズが大きいという問題点がある。
【００１５】
ここで、ＭＯＢ＿ＮＢＲ−ＡＤＶメッセージにはＭＳが状況によって必要とすることができる情報でもよく、あまり必要としない情報も含まれることができる。また、ＭＯＢ＿ＮＢＲ−ＡＤＶメッセージは特定のＭＳに伝送されるメッセージでなく、極めて短い周期で反復的に不特定多数のＭＳに伝送される放送メッセージである。これによって、無線チャネル区間での帯域幅の消費が非常に大きくなるという問題点がある。つまり、網を運営する運営者は、含まなくてもよい情報を含むことにより、無線チャネル資源を浪費することになる問題点が存在する。
【発明の開示】
【発明が解決しようとする課題】
【００１６】
本発明の目的は、広帯域無線接続通信システムにおいて、隣接基地局情報放送（ＭＯＢ＿ＮＢＲ−ＡＤＶ）メッセージのサイズを縮めるための構成方法を提供することにある。
本発明の他の目的は、広帯域無線接続通信システムにおいて、無線チャネル資源を效率よく使用するための方法を提供することにある。
【課題を解決するための手段】
【００１７】
前述の目的を達成するための本発明の方法は、移動加入者端末機に隣接基地局の情報を周期的に放送するサービング基地局が存在する広帯域無線接続通信システムにおいて、隣接基地局の情報放送メッセージを構成する方法であって、隣接基地局の情報放送メッセージに特定フィールドを追加する過程と、メッセージを構成することができる複数の情報フィールドの包含の可否を決定する過程と、上記の決定によって特定フィールドのビット値を決定する過程とを含むことを特徴とする。
【００１８】
前述した目的を達成するための本発明のシステムは、移動加入者端末機に隣接基地局の情報を周期的に放送するサービング基地局が存在する広帯域無線接続通信システムにおいて、隣接基地局の情報放送メッセージを構成するシステムであって、隣接基地局の情報放送メッセージに特定フィールドを追加し、メッセージを構成することができる複数の情報フィールドの包含の可否を決定し、上記の決定によって特定フィールドのビット値を決定するサービング基地局とを含むことを特徴とする。
【産業上の利用可能性】
【００１９】
前述したように、本発明は、隣接基地局情報放送メッセージ、すなわちＯＢ＿ＮＢＲ−ＡＤＶメッセージに特定フィールドの包含の可否を知らせるフィールドを新しく追加し、省略可能なフィールドを基地局状況によって省略してＭＯＢ＿ＮＢＲ−ＡＤＶメッセージサイズを可変的に構成することができる。これによって、既存のＭＯＢ＿ＮＢＲ−ＡＤＶメッセージよりもサイズが減って無線チャネル資源を效率よく活用できる利点がある。
【発明を実施するための最良の形態】
【００２０】
以下、本発明に係る好ましい実施形態を添付した図面を参照しつつ詳細に説明する。下記の説明では本発明に係る動作の理解に必要な部分のみ説明され、その以外の部分の説明は本発明の要旨を逸脱しない範囲で省かれることを留意しなければならない。
【００２１】
本発明は広帯域無線接続（Broadband Wireless Access）通信システムにおいて、隣接基地局情報を含んでいる隣接基地局放送（NeighBoR basestation ADVertisement；以下、‘ＭＯＢ＿ＮＢＲ−ＡＤＶ’と称する）メッセージを新しく構成するための方案を提案する。
【００２２】
より詳しくは、基地局（base station）は、ＭＯＢ＿ＮＢＲ−ＡＤＶメッセージを周期的に放送する度に含める情報フィールドを決定し、その決定されたところによって情報フィールドに対する存在有無の情報を、新たなフィールドを追加して明示することができる。
【００２３】
説明の前に、従来のＭＯＢ＿ＮＢＲ−ＡＤＶメッセージ（図２Ａ及び２Ｂ）において、Operator IDフィールドの場合、メッセージを伝送する基地局の固有識別子を表示するフィールドである。しかしながら、Operator IDは、移動局（mobile station；以下、‘ＭＳ’と称する）が現在位置しているサービング基地局と以前に遂行したネットワーク進入手順を通じて既に認知している情報である。したがって、サービング基地局がＭＳＳに周期的に伝送しなければならない情報ではない。
【００２４】
また、従来のＭＯＢ＿ＮＢＲ−ＡＤＶメッセージにおいて、Neighbor BS-IDフィールドは網の物理階層方式が直交周波数分割多重接続（Orthogonal Frequency Division Multiple Access；以下、‘ＯＦＤＭＡ’と称する）方式の場合のみにSkip-Optional-Field Flag値を‘０’に設定し、Neighbor BS-IDを含む。したがって、直交周波数分割多重（ＯＦＤＭ：Orthogonal Frequency Division Multiplexing）や単一キャリヤ（Single Carrier）方式を使用する広帯域無線接続通信システムは、Skip-Optional-Field Flagビット値を‘１’と表示し、Neighbor BS-IDフィールドを含まない。
【００２５】
また、従来のＭＯＢ＿ＮＢＲ−ＡＤＶメッセージにおいて、HO Process Optimizationフィールドは、サービング基地局が一部の隣接基地局に対してハンドオーバーの支援が不能な場合もあるため、HO Process Optimizationフィールドを必ず含む必要はない。
【００２６】
また、従来のＭＯＢ＿ＮＢＲ−ＡＤＶメッセージにおいて、サービス品質（Quality of Service；以下、‘ＱｏＳ’と称する）と関連したフィールド（すなわち、Scheduling Service Supported、Available Radio Resource、Handoff Neighbor Preferenceフィールド）は全ての基地局で支援可能ではない。また、支援可能な基地局でも基地局の状態によって隣接基地局情報をリアルタイムに収集できない場合もあるので、常に提供可能な情報ではない。
【００２７】
結論として、前述したフィールドは、ＭＯＢ＿ＮＢＲ−ＡＤＶメッセージで省略することができ、本発明では省略可能なフィールドを各基地局、すなわち網運営者によりＭＯＢ＿ＮＢＲ−ＡＤＶメッセージ内に適切に挿入または省略することによって、ＭＯＢ＿ＮＢＲ−ＡＤＶメッセージの長さを縮めることができる。
【００２８】
次に、図３Ａ乃至３Ｃを参照して本発明で新しく提案するＭＯＢ＿ＮＢＲ−ＡＤＶメッセージ構造について説明する。
【００２９】
図３Ａ乃至３Ｃは、本発明の実施形態に係る新たなＭＯＢ＿ＮＢＲ−ＡＤＶメッセージ構造を示す図である。
【００３０】
図３Ａ乃至３Ｃを参照すれば、まず、新たなＭＯＢ＿ＮＢＲ−ＡＤＶメッセージは、従来のＭＯＢ＿ＮＢＲ−ＡＤＶメッセージにＮＢＲ＿ＦＬＡＧフィールドを新しく追加した。本発明ではＮＢＲ＿ＦＬＡＧフィールドのサイズを８ビットと規定しているが、網運営者がシステム状況によって適切なサイズに変更可能であることを明らかにする。以後、ＮＢＲ＿ＦＬＡＧフィールドが８ビットであることを前提として説明する。
【００３１】
追加された８ビットのＮＢＲ＿ＦＬＡＧフィールドのうち、４ビットは特定フィールドの存在の有無を明示することに使用し、残りの４ビットは今後の機能拡張のために使用できるように予約された（reserved）ビットとして活用する。
【００３２】
ＮＢＲ＿ＦＬＡＧフィールドにおいて、特定フィールドの存在の有無を明示することに使われる４ビットは次の通り構成することができる。
【００３３】
[０]ビット：ＮＢＲ＿ＦＬＡＧフィールドの８ビットうち、１番目に位置した[０]ビットは、ＭＯＢ＿ＮＢＲ−ＡＤＶメッセージ内にOperator IDフィールドが含まれたかどうかを知らせてくれる。例えば、[０]ビットの値が‘０’であれば、ＭＯＢ＿ＮＢＲ−ＡＤＶメッセージ内にOperator IDフィールドが含まれていることを意味する。また、[０]ビットの値が‘１’であれば、ＭＯＢ＿ＮＢＲ−ＡＤＶメッセージ内にOperator IDフィールドが含まれていないことを意味する。
【００３４】
[１]ビット：ＮＢＲ＿ＦＬＡＧフィールドの８ビットうち、２番目に位置した[１]ビットは、ＭＯＢ＿ＮＢＲ−ＡＤＶメッセージ内にＮＢＲ＿ＢＳ＿ＩＤフィールドが含まれたかどうかを知らせてくれる。例えば、[１]ビットの値が‘０’であれば、ＭＯＢ＿ＮＢＲ−ＡＤＶメッセージ内にＮＢＲ＿ＢＳ＿ＩＤフィールドが含まれていることを意味する。また、[１]ビットの値が‘１’であれば、ＭＯＢ＿ＮＢＲ−ＡＤＶメッセージ内にＮＢＲ＿ＢＳ＿ＩＤフィールドが含まれていないことを意味する。
【００３５】
[２]ビット：ＮＢＲ＿ＦＬＡＧフィールドの８ビットうち、３番目に位置した[２]ビットは、ＭＯＢ＿ＮＢＲ−ＡＤＶメッセージ内にHO process optimizationフィールドが含まれたかどうかを知らせてくれる。例えば、[２]ビットの値が‘０’であれば、ＭＯＢ＿ＮＢＲ−ＡＤＶメッセージ内にHO process optimizationフィールドが含まれていることを意味する。また、[２]ビットの値が‘１’であれば、ＭＯＢ＿ＮＢＲ−ＡＤＶメッセージ内にHO process optimizationフィールドが含まれていないことを意味する。
【００３６】
[３]ビット：ＮＢＲ＿ＦＬＡＧフィールドの８ビットうち、４番目に位置した[３]ビットは、ＭＯＢ＿ＮＢＲ−ＡＤＶメッセージ内にサービス品質（Quality of Service；以下、‘ＱｏＳ’と称する）関連フィールドが含まれたかどうかを知らせてくれる。例えば、[３]ビットの値が‘０’であれば、ＭＯＢ＿ＮＢＲ−ＡＤＶメッセージ内にＱｏＳ関連フィールドが含まれていることを意味する。また、[３]ビットの値が‘１’であれば、ＭＯＢ＿ＮＢＲ−ＡＤＶメッセージ内にＱｏＳ関連フィールドが含まれていないことを意味する。
【００３７】
ここで、ＭＯＢ＿ＮＢＲ−ＡＤＶメッセージ内に存在するＱｏＳ関連フィールドとは、Scheduling Service Supportedフィールド、Available Radio Resourceフィールド及びHandoff Neighbor Preferenceフィールドを指し示す。
【００３８】
また、[４]ビット乃至[７]ビットは予約されたビットである。
【００３９】
例えば、ＮＢＲ＿ＦＬＡＧフィールドが１００１  ００００値を有すれば、ＭＯＢ＿ＮＢＲ−ＡＤＶメッセージ内にOperator IDフィールドは存在しなくて、ＮＢＲ＿ＢＳ＿ＩＤフィールドとHO process optimizationフィールドは存在し、ＱｏＳ関連フィールドは存在しないことを意味する。
【００４０】
前述したとおり、ＭＯＢ＿ＮＢＲ−ＡＤＶメッセージ内に不要なフィールドを除去し、上記フィールドに対する存在の可否をＮＢＲ＿ＦＬＡＧフィールドに明示することにより、ＭＯＢ＿ＮＢＲ−ＡＤＶメッセージのサイズを縮めることができる。すなわち、可変的（flexibility）なＭＯＢ＿ＮＢＲ−ＡＤＶメッセージを構成することができる。一方、サービング基地局は、本発明に係る新たなＭＯＢ＿ＮＢＲ−ＡＤＶメッセージを１周期毎に構成して伝送することもでき、複数回の周期毎に構成して伝送することもできる。すなわち、現在の周期で伝送するべきＭＯＢ＿ＮＢＲ−ＡＤＶメッセージを構成する情報フィールドが以前の周期で伝送した情報フィールドと相異するように構成されるべき場合、サービング基地局は本発明の実施形態によってＭＯＢ＿ＮＢＲ−ＡＤＶメッセージを新しく構成することができる。
【００４１】
次に、図４を参照してＭＯＢ＿ＮＢＲ−ＡＤＶメッセージのＮＢＲ＿ＦＬＡＧフィールドを設定する過程を説明する。
【００４２】
図４は、本発明の実施形態に係るＭＯＢ＿ＮＢＲ−ＡＤＶメッセージ構成の際、ＮＢＲ＿ＦＬＡＧフィールドを設定する過程を示すフローチャートである。
【００４３】
図４を参照すれば、まずサービング基地局は、周期的にＭＯＢ＿ＮＢＲ−ＡＤＶメッセージを伝送するために、本発明の実施形態によってＭＯＢ＿ＮＢＲ−ＡＤＶメッセージを構成しなければならない。したがって、ステップ４０２において、サービング基地局はＭＯＢ＿ＮＢＲ−ＡＤＶメッセージ内のＮＢＲ＿ＦＬＡＧフィールドの設定（setting）を始めて、ステップ４０４に進行する。ステップ４０４において、サービング基地局はOperator IDフィールドをＭＯＢ＿ＮＢＲ−ＡＤＶメッセージ内に挿入するかどうかを決定する。上記決定された結果によってOperator IDフィールドを挿入する場合、ステップ４０６に進行し、挿入しない場合、ステップ４０８に進行する。
【００４４】
ステップ４０６において、サービング基地局は、Operator IDフィールドがＭＯＢ＿ＮＢＲ−ＡＤＶメッセージ内に含まれていることを意味するＮＢＲ＿ＦＬＡＧ[０]＝０に設定し、ステップ４１０に進行する。一方、ステップ４０８において、サービング基地局はOperator IDフィールドがＭＯＢ＿ＮＢＲ−ＡＤＶメッセージ内に含まれていないことを意味するＮＢＲ＿ＦＬＡＧ[０]＝１に設定し、ステップ４１０に進行する。
【００４５】
ステップ４１０において、サービング基地局はＮＢＲ ＢＳ−ＩＤフィールドをＭＯＢ＿ＮＢＲ−ＡＤＶメッセージ内に挿入するかどうかを決定する。上記決定された結果によって、ＮＢＲ ＢＳ−ＩＤフィールドを挿入する場合、ステップ４１２に進行し、挿入しない場合、ステップ４１４に進行する。
【００４６】
ステップ４１２において、サービング基地局は、ＮＢＲ ＢＳ−ＩＤフィールドがＭＯＢ＿ＮＢＲ−ＡＤＶメッセージ内に含まれていることを意味するＮＢＲ＿ＦＬＡＧ[１]＝０に設定し、ステップ４１６に進行する。一方、ステップ４１４において、サービング基地局はＮＢＲ ＢＳ−ＩＤフィールドがＭＯＢ＿ＮＢＲ−ＡＤＶメッセージ内に含まれていないことを意味するＮＢＲ＿ＦＬＡＧ[１]＝１に設定し、ステップ４１６に進行する。
【００４７】
ステップ４１６において、サービング基地局はHO process optimizationフィールドをＭＯＢ＿ＮＢＲ−ＡＤＶメッセージ内に挿入するかどうかを決定する。上記決定された結果によってHO process optimizationフィールドを挿入する場合、ステップ４１８に進行し、挿入しない場合、ステップ４２０に進行する。
【００４８】
ステップ４１８において、サービング基地局は、HO process optimizationフィールドがＭＯＢ＿ＮＢＲ−ＡＤＶメッセージ内に含まれていることを意味するＮＢＲ＿ＦＬＡＧ[２]＝０に設定し、ステップ４２２に進行する。一方、ステップ４２０において、サービング基地局はHO process optimizationフィールドがＭＯＢ＿ＮＢＲ−ＡＤＶメッセージ内に含まれていないことを意味するＮＢＲ＿ＦＬＡＧ[２]＝１に設定し、ステップ４２２に進行する。
【００４９】
ステップ４２２において、サービング基地局は、ＱｏＳ関連フィールドをＭＯＢ＿ＮＢＲ−ＡＤＶメッセージ内に挿入するかどうかを決定する。上記決定された結果によってＱｏＳ関連フィールドを挿入する場合、ステップ４２４に進行し、挿入しない場合、ステップ４２６に進行する。
【００５０】
ステップ４２４において、サービング基地局は、ＱｏＳ関連フィールドがＭＯＢ＿ＮＢＲ−ＡＤＶメッセージ内に含まれていることを意味するＮＢＲ＿ＦＬＡＧ[３]＝０に設定したり、ステップ４２６において、ＱｏＳ関連フィールドがＭＯＢ＿ＮＢＲ−ＡＤＶメッセージ内に含まれていないことを意味するＮＢＲ＿ＦＬＡＧ[３]＝１に設定し、ＭＯＢ＿ＮＢＲ−ＡＤＶメッセージ内のＮＢＲ＿ＦＬＡＧフィールドの設定を完了する。
【００５１】
図４の説明では、ＭＯＢ＿ＮＢＲ−ＡＤＶメッセージに含まなくてもよい情報フィールドをOperator IDフィールド、ＮＢＲ ＢＳ−ＩＤフィールド、HO process optimizationフィールド及びＱｏＳ関連フィールドと規定しているが、これは１つの実施形態として説明したことに過ぎない。すなわち、網運営者により他の情報フィールドを前述のフィールドと組合せてＭＯＢ＿ＮＢＲ−ＡＤＶメッセージを構成できることを明らかにする。また、今後、ＭＯＢ＿ＮＢＲ−ＡＤＶメッセージを構成する情報フィールドが新しく追加されて拡張できるので、これもまた念頭に置くところである。
【００５２】
以上、本発明の詳細な説明の欄においては具体的な実施形態について詳述したが、本発明はこれに限定されるものではなく、本発明の範囲を逸脱しない限り、各種の実施形態が提供可能である。よって、本発明の真の技術的な範囲は上述の実施形態によって定まるものではなく、特許請求の範囲とその等価物によって定まるべきである。
【図面の簡単な説明】
【００５３】
【図１】一般的なＩＥＥＥ ８０２．１６ｅ通信システムの構造を概略的に示す図である。
【図２Ａ】一般的なＭＯＢ＿ＮＢＲ−ＡＤＶメッセージ構造を示す図である。
【図２Ｂ】一般的なＭＯＢ＿ＮＢＲ−ＡＤＶメッセージ構造を示す図である。
【図２Ｃ】一般的なＭＯＢ＿ＮＢＲ−ＡＤＶメッセージ構造を示す図である。
【図２Ｄ】一般的なＭＯＢ＿ＮＢＲ−ＡＤＶメッセージ構造を示す図である。
【図３Ａ】本発明の実施形態による新たなＭＯＢ＿ＮＢＲ−ＡＤＶメッセージ構造を示す図である。
【図３Ｂ】本発明の実施形態による新たなＭＯＢ＿ＮＢＲ−ＡＤＶメッセージ構造を示す図である。
【図３Ｃ】本発明の実施形態による新たなＭＯＢ＿ＮＢＲ−ＡＤＶメッセージ構造を示す図である。
【図３Ｄ】本発明の実施形態による新たなＭＯＢ＿ＮＢＲ−ＡＤＶメッセージ構造を示す図である。
【図４】本発明の実施形態によるＭＯＢ＿ＮＢＲ−ＡＤＶメッセージ構成の際、ＮＢＲ＿ＦＬＡＧフィールドを設定する過程を示すフローチャートである。
【符号の説明】
【００５４】
Ｓ４０２  ＮＢＲ＿ＦＬＡＧフィールドの設定を開始
Ｓ４０４  Operator IDフィールドを挿入するか？
Ｓ４１０  ＮＢＲ  ＢＳ−ＩＤフィールドを挿入するか
Ｓ４１６  HO process optimizationフィールドを挿入するか？
Ｓ４２２  QoSフィールドを挿入するか？
【図１】
2008519541.tif 000003
【図２Ａ】
2008519541.tif 000004
【図２Ｂ】
2008519541.tif 000005
【図２Ｃ】
2008519541.tif 000006
【図２Ｄ】
2008519541.tif 000007
【図３Ａ】
2008519541.tif 000008
【図３Ｂ】
2008519541.tif 000009
【図３Ｃ】
2008519541.tif 000010
【図３Ｄ】
2008519541.tif 000011
【図４】
2008519541.tif 000012
【国際調査報告】
2008519541.tif 000013
2008519541.tif 000014